(57)【特許請求の範囲】
【請求項１】
表示部と、
操作部と、
携帯端末と通信を行う通信部と、
前記通信部で通信している携帯端末と、自装置との距離が所定の距離以上か否かを判定する距離判定部と、
前記通信部で通信している携帯端末の操作表示モードを、自装置から独立して前記携帯端末単体で自装置の操作を可能にさせる第１のモードと、前記表示部に表示しきれない部分を前記携帯端末に表示させる第２のモードとに切り替える制御を行う制御部と、
を備え、
前記制御部は、
前記通信部で通信している携帯端末の操作表示モードを、
前記距離判定部が前記携帯端末と自装置との距離が前記所定の距離以上と判定した場合は第１のモードに制御し、前記距離判定部が前記携帯端末と自装置との距離が前記所定の距離未満と判定した場合は第２のモードに制御する
ことを特徴とする情報処理装置。
【請求項２】
前記情報処理装置を操作中のユーザを判別するユーザ認証部を更に備え、
前記通信部が複数台の携帯端末と通信を行う場合、前記制御部は、前記ユーザ認証部によって認証されたユーザによって使用される携帯端末以外の携帯端末は、当該携帯端末と前記情報処理装置の距離が所定の距離未満であっても前記第１のモードに制御する
ことを特徴とする請求項１に記載の情報処理装置。
【請求項３】
前記制御部は、前記ユーザ認証部によって認証されたユーザから、前記第１のモードか前記第２のモードのいずれか一方の選択を受け付けたら、前記ユーザが使用する携帯端末の操作表示モードを、前記携帯端末と前記情報処理装置の距離に係らず、前記選択されたモードに制御する
ことを特徴とする請求項２に記載の情報処理装置。
【請求項４】
前記通信部は所定の距離まで通信可能な近接通信手段と、所定の距離以上の距離でも通信可能な近距離通信手段を有し、
前記距離判定部は、前記近接通信手段での通信が可能な携帯端末は、当該携帯端末と前記情報処理装置との距離が、所定の距離未満であると判定する
ことを特徴とする請求項１乃至３のいずれか１つに記載の情報処理装置。
【請求項５】
前記制御部は、前記携帯端末が前記第１のモードでユーザから操作を受け付けているときは、前記携帯端末と前記情報処理装置の距離が前記所定の距離未満になっても前記携帯端末を前記第１のモードに制御する
ことを特徴とする請求項１乃至４のいずれか１つに記載の情報処理装置。
【請求項６】
前記第１、第２のモードの制御履歴を記憶する記憶部を更に備え、
前記制御履歴のうち、前記第１のモードに制御した頻度が所定値以上であれば、前記携帯端末と前記情報処理装置の距離に係らず、第１のモードに制御する
ことを特徴とする請求項１乃至５のいずれか１つに記載の情報処理装置。
【請求項７】
表示部と、
操作部と、
携帯端末と通信を行う通信部と、
前記通信部で通信している携帯端末と、自装置との距離が所定の距離以上か否かを判定するための情報を取得する距離検出部と、
を備える情報処理装置を、
前記通信部で通信している携帯端末の操作表示モードを、前記距離検出部が出力する情報に基づいて前記携帯端末と自装置との距離が前記所定の距離以上と判定した場合は、自装置から独立して前記携帯端末単体で自装置の操作を可能にさせる第１のモードに制御し、前記距離検出部が出力する情報に基づいて前記携帯端末と自装置との距離が前記所定の距離未満と判定した場合は、前記表示部に表示しきれない部分を前記携帯端末に表示させる第２のモードに制御するよう動作させる
ことを特徴とするプログラム。
【請求項８】
ユーザ認証部を更に備えた前記情報処理装置を、
前記通信部が複数台の携帯端末と通信を行う場合に、前記ユーザ認証部によって認証された携帯端末以外の携帯端末は、当該携帯端末と前記情報処理装置の距離が所定の距離未満であっても前記第１のモードに制御するように動作させる
ことを特徴とする請求項７に記載のプログラム。
【請求項９】
前記情報処理装置を、前記ユーザ認証部によって認証されたユーザから、前記第１のモードか前記第２のモードのいずれか一方の選択を受け付けたら、前記ユーザが使用する携帯端末の操作表示モードを、前記携帯端末と前記情報処理装置の距離に係らず、前記選択されたモードに制御するように動作させる
ことを特徴とする請求項８に記載のプログラム。
【請求項１０】
前記通信部は所定の距離まで通信可能な近接通信手段と、所定の距離以上の距離でも通信可能な近距離通信手段を有する前記情報処理装置を、
前記距離検出部が、前記近距離通信手段のみによって通信が可能な携帯端末がある旨の情報を出力した場合は、前記情報処理装置と当該携帯端末との距離が、所定の距離以上であると判定するように動作させる
ことを特徴とする請求項７乃至９のいずれか１つに記載のプログラム。
【請求項１１】
前記情報処理装置を、前記携帯端末が前記第１のモードでユーザから操作を受け付けているときは、前記携帯端末と前記情報処理装置の距離が前記所定の距離未満になっても前記携帯端末を前記第１のモードに制御するよう動作させる
ことを特徴とする請求項７乃至１０のいずれか１つに記載のプログラム。
【請求項１２】
記憶部を更に備える前記情報処理装置を、
前記第１、第２のモードの制御履歴を前記記憶部に記憶させておき、前記制御履歴のうち、前記第１のモードに制御した頻度が所定値以上であれば、前記携帯端末と前記情報処理装置の距離に係らず、第１のモードに制御するよう動作させる
ことを特徴とする請求項７乃至１１のいずれか１つに記載のプログラム。
【発明の詳細な説明】
【技術分野】
【０００１】
本発明は、携帯端末から操作可能な情報処理装置およびそのプログラムに関する。
【背景技術】
【０００２】
近年、印刷装置等のような情報処理装置に搭載されている機能は増加傾向にあり、それに伴って情報処理装置に設置される操作パネルに求められる機能も増加傾向にある。
【０００３】
一方、情報処理装置に搭載されている操作パネルは、製作コスト低減のため、パネル操作に必要なボタンの数は最小限に限られ、また操作結果を表示する表示部としては低解像度のもの、表示面積が小さいものが用いられていることが多く、ユーザが期待する操作性や視認性を確保することが困難であった。
【０００４】
そこで、上記のような問題に対応すべく、視認性の良い表示部と操作性の高い操作部を備える携帯端末と情報処理装置との間で無線通信を行い、情報処理装置に設置されている操作パネルの代わりに携帯端末に設定画面を表示し、ユーザが携帯端末にて設定した設定内容を情報処理装置に送信する技術（以後、リモートパネルモードと呼ぶ）が提案されている（特許文献１参照）。
【先行技術文献】
【特許文献】
【０００５】
【特許文献１】特開２００４−２９５３２５号公報
【発明の概要】
【発明が解決しようとする課題】
【０００６】
一方で、本出願人は、情報処理装置に設置されている操作パネルの視認性および操作性を向上させる目的で、情報処理装置の操作パネルでは表示しきれない部分（例えば、スクロールすることで全体像が確認できる画面において、現在操作パネルに表示されていない部分）を携帯端末で表示させる技術（以後、連携パネルモードと呼ぶ）を考案した。
【０００７】
上記の両技術（リモートパネルモードと連携パネルモード）をユーザが１つの携帯端末で利用する場合には、２つの問題が発生する。第１の問題は、上記のリモートパネルモードと連携パネルモードを手動で切り替えるようにした場合は、ユーザにその手間がかかってしまうことである。
【０００８】
第２の問題は、連携パネルモードは一定の距離内でのみ作動するといった制限を加えることが想定されるので、その制限をユーザが十分に理解していない場合には、手動で切り替えても連携モードに切り替わらずに戸惑ってしまうといった事態が発生する可能性があることである。
【０００９】
本発明は、上記の問題を解決しようとするものであり、リモートパネルモードと連携パネルモードとを自動的に切り替えることのできる情報処理装置、プログラムを提供することを目的としている。
【課題を解決するための手段】
【００１０】
かかる目的を達成するための本発明の要旨とするところは、次の各項の発明に存する。
【００１１】
[１]表示部と、
操作部と、
携帯端末と通信を行う通信部と、
前記通信部で通信している携帯端末と、自装置との距離が所定の距離以上か否かを判定する距離判定部と、
前記通信部で通信している携帯端末の操作表示モードを、自装置から独立して前記携帯端末単体で自装置の操作を可能にさせる第１のモードと、前記表示部に表示しきれない部分を前記携帯端末に表示させる第２のモードとに切り替える制御を行う制御部と、
を備え、
前記制御部は、
前記通信部で通信している携帯端末の操作表示モードを、
前記距離判定部が前記携帯端末と自装置との距離が前記所定の距離以上と判定した場合は第１のモードに制御し、前記距離判定部が前記携帯端末と自装置との距離が前記所定の距離未満と判定した場合は第２のモードに制御する
ことを特徴とする情報処理装置。
【００１２】
上記[１]および下記[７]に記載の発明では、情報処理装置と通信している携帯端末の操作表示モードを、情報処理装置から独立して、携帯端末単体で情報処理装置の操作を可能にする第１のモードと、情報処理装置の表示部に表示しきれない部分を携帯端末に表示させる第２のモードとに切り替える。携帯端末と情報処理装置間の距離が所定の距離以上の場合は第１のモードに、所定の距離未満の場合は第２のモードになるように自動的に制御する。情報処理装置と携帯端末との間の距離に応じて自動的に携帯端末の操作表示モードを制御するので、ユーザによる操作表示モードの選択操作を省略しつつも、携帯端末の操作表示モードを効果的に選択し、操作性および視認性を向上させることができる。
【００１３】
[２]前記情報処理装置を操作中のユーザを判別するユーザ認証部を更に備え、
前記通信部が複数台の携帯端末と通信を行う場合、前記制御部は、前記ユーザ認証部によって認証されたユーザによって使用される携帯端末以外の携帯端末は、当該携帯端末と前記情報処理装置の距離が所定の距離未満であっても前記第１のモードに制御する
ことを特徴とする[１]に記載の情報処理装置。
【００１４】
上記[２]および下記[８]に記載の発明では、ユーザ認証を行ったユーザのみ（１名に限る）が情報処理装置を操作可能とし、複数台の携帯端末と通信を行う場合において、ユーザ認証を行っていないユーザが使用する携帯端末の操作表示モードは、当該携帯端末と情報処理装置の距離が所定の距離未満であっても第１のモードになるように制御する。ユーザ認証後のユーザが使用している携帯端末の操作表示モードは、第１のモード、第２のモードの両方のモードに切り替え可能である。
【００１５】
[３]前記制御部は、前記ユーザ認証部によって認証されたユーザから、前記第１のモードか前記第２のモードのいずれか一方の選択を受け付けたら、前記ユーザが使用する携帯端末の操作表示モードを、前記携帯端末と前記情報処理装置の距離に係らず、前記選択されたモードに制御する
ことを特徴とする[２]に記載の情報処理装置。
【００１６】
上記[３]および下記[９]に記載の発明では、ユーザ認証部によって認証されたユーザから第１のモードか第２のモードかの選択を受け付けたら、そのユーザが使用する携帯端末と情報処理装置の距離に係らず、その携帯端末の操作表示モードをその選択されたモードに制御する。第１のモードか第２のモードかの選択は、情報処理装置が受け付けてもよいし、ユーザ認証部によって認証されたユーザが使用する携帯端末で受け付けてもよい。
【００１７】
[４]前記通信部は所定の距離まで通信可能な近接通信手段と、所定の距離以上の距離でも通信可能な近距離通信手段を有し、
前記距離判定部は、前記近接通信手段での通信が可能な携帯端末は、当該携帯端末と前記情報処理装置との距離が、所定の距離未満であると判定する
ことを特徴とする[１]乃至[３]のいずれか１つに記載の情報処理装置。
【００１８】
上記[４]および下記[１０]に記載の発明では、通信部は所定の距離まで通信可能な近接通信手段と、所定の距離以上の距離でも通信可能な近距離通信手段を有し、近接通信手段で通信が可能な携帯端末は、情報処理装置と当該携帯端末との距離が、所定の距離未満であると判定する。これにより、情報処理装置と携帯端末の間の距離の実測値を求めずとも、情報処理装置と当該携帯端末との距離が、所定の距離未満であるか否かを判断することができる。
【００１９】
[５]前記制御部は、前記携帯端末が前記第１のモードでユーザから操作を受け付けているときは、前記携帯端末と前記情報処理装置の距離が前記所定の距離未満になっても前記携帯端末を前記第１のモードに制御する
ことを特徴とする[１]乃至[４]のいずれか１つに記載の情報処理装置。
【００２０】
上記[５]および下記[１１]に記載の発明では、通信中の携帯端末が第１のモードでユーザから操作を受け付けているときは、その携帯端末と情報処理装置の距離が所定の距離未満になってもその携帯端末を第１のモードに制御する。これにより、第１のモードの状態で携帯端末の操作中に、情報処理装置と携帯端末の距離が所定の距離未満になった場合でも、第２のモードに切り替わらず、設定中の内容が維持される。
【００２１】
[６]前記第１、第２のモードの制御履歴を記憶する記憶部を更に備え、
前記制御履歴のうち、前記第１のモードに制御した頻度が所定値以上であれば、前記携帯端末と前記情報処理装置の距離に係らず、第１のモードに制御する
ことを特徴とする[１]乃至[５]のいずれか１つに記載の情報処理装置。
【００２２】
上記[６]および下記[１２]に記載の発明では、第１、第２のモードの制御履歴を記憶しておき、その制御履歴のうち、第１のモードの制御頻度が所定値以上であれば、当該携帯端末と情報処理装置の距離に係らず、第１のモードに制御する。ここでは、所定値とは第１のモードに制御した制御回数の回数、または制御比率であるものとする。
【００２３】
[７]表示部と、
操作部と、
携帯端末と通信を行う通信部と、
前記通信部で通信している携帯端末と、自装置との距離が所定の距離以上か否かを判定するための情報を取得する距離検出部と、
を備える情報処理装置を、
前記通信部で通信している携帯端末の操作表示モードを、前記距離検出部が出力する情報に基づいて前記携帯端末と自装置との距離が前記所定の距離以上と判定した場合は、自装置から独立して前記携帯端末単体で自装置の操作を可能にさせる第１のモードに制御し、前記距離検出部が出力する情報に基づいて前記携帯端末と自装置との距離が前記所定の距離未満と判定した場合は、前記表示部に表示しきれない部分を前記携帯端末に表示させる第２のモードに制御するよう動作させる
ことを特徴とするプログラム。
【００２４】
[８]ユーザ認証部を更に備えた前記情報処理装置を、
前記通信部が複数台の携帯端末と通信を行う場合に、前記ユーザ認証部によって認証された携帯端末以外の携帯端末は、当該携帯端末と前記情報処理装置の距離が所定の距離未満であっても前記第１のモードに制御するように動作させる
ことを特徴とする[７]に記載のプログラム。
【００２５】
[９]前記情報処理装置を、前記ユーザ認証部によって認証されたユーザから、前記第１のモードか前記第２のモードのいずれか一方の選択を受け付けたら、前記ユーザが使用する携帯端末の操作表示モードを、前記携帯端末と前記情報処理装置の距離に係らず、前記選択されたモードに制御するように動作させる
ことを特徴とする[８]に記載のプログラム。
【００２６】
[１０]前記通信部は所定の距離まで通信可能な近接通信手段と、所定の距離以上の距離でも通信可能な近距離通信手段を有する前記情報処理装置を、
前記距離検出部が、前記近距離通信手段のみによって通信が可能な携帯端末がある旨の情報を出力した場合は、前記情報処理装置と当該携帯端末との距離が、所定の距離以上であると判定するように動作させる
ことを特徴とする[７]乃至[９]のいずれか１つに記載のプログラム。
【００２７】
[１１]前記情報処理装置を、前記携帯端末が前記第１のモードでユーザから操作を受け付けているときは、前記携帯端末と前記情報処理装置の距離が前記所定の距離未満になっても前記携帯端末を前記第１のモードに制御するよう動作させる
ことを特徴とする[７]乃至[１０]のいずれか１つに記載のプログラム。
【００２８】
[１２]記憶部を更に備える前記情報処理装置を、
前記第１、第２のモードの制御履歴を前記記憶部に記憶させておき、前記制御履歴のうち、前記第１のモードに制御した頻度が所定値以上であれば、前記携帯端末と前記情報処理装置の距離に係らず、第１のモードに制御するよう動作させる
ことを特徴とする[７]乃至[１１]のいずれか１つに記載のプログラム。
【発明の効果】
【００２９】
本発明に係る情報処理装置、及びプログラムによれば、ユーザによる操作を省略しつつも、携帯端末への操作表示モードを自動で効果的に選択し、情報処理装置の操作性および視認性を向上させることができる。
【図面の簡単な説明】
【００３０】
【図１】本発明の実施の形態に係る情報処理装置と携帯端末を示す説明図である。
【図２】本発明の実施の形態に係る情報処理装置の概略構成を示すブロック図である。
【図３】本発明の実施の形態に係る携帯端末の概略構成を示すブロック図である。
【図４】操作パネルの表示を携帯端末に補助させる様子を示す説明図である。
【図５】リモートパネルモードで、携帯端末に表示される画面の一例を示す説明図である。
【図６】連携パネルモードで、操作パネルおよび携帯端末に表示される画面の一例を示す説明図である。
【図７】画像形成装置が複数の携帯端末と通信を確立する様子を示す説明図である。
【図８】本発明において画像形成装置が行う基本的な処理の流れを示す流れ図である。
【図９】自動選択モードがＯＮの時に画像形成装置で行われる処理の流れを示す流れ図である。
【図１０】モード決定基準表の一例を示す説明図である。
【図１１】図９の処理に、使用頻度、および、現在リモートパネルモードの使用中か否かを判断基準として加えた場合の処理の流れを示す流れ図である。
【図１２】自動選択モードがＯＦＦの時に画像形成装置で行われる処理の流れを示す流れ図である。
【図１３】リモートパネルモードと連携パネルモードが自動的に切り替わりながら、ユーザからの設定操作を受け付ける様子を示す説明図である。
【発明を実施するための形態】
【００３１】
以下、図面に基づき本発明の実施の形態を説明する。
【００３２】
図１は、本発明の実施の形態に係る情報処理装置としての画像形成装置１０と携帯端末４０を示す。
【００３３】
携帯端末４０は、持ち歩きが可能な端末であり、表示部５１と操作部５２を含む操作表示部５０を備えている（図３参照）。
【００３４】
画像形成装置１０は、原稿を光学的に読み取ってその複製画像を記録紙に印刷するコピージョブ、読み取った原稿の画像データをファイルにして保存したり外部装置へ送信したりするスキャンジョブ、ＰＣから送出されたデータに係る画像を記録紙に印刷して出力するプリントジョブなどのジョブを実行する機能を備えた、所謂、複合機である。画像形成装置１０には、表示部３１と操作部３２を含み装置本体の操作を行う操作パネル３０が設置されており、ユーザはこの操作パネル３０を使用して、各種の設定を行うことができる（図２参照）。
【００３５】
また、ユーザは、無線通信で画像形成装置１０と接続された携帯端末４０からも画像形成装置１０を操作することができる。その際には、画像形成装置１０は、携帯端末４０の操作表示モードを制御する。具体的には、２種類の操作表示モードのうちのいずれか一方に制御する。
【００３６】
第１のモードは、携帯端末４０に、操作パネル３０が表示する画面とは独立した画面を表示させ、その携帯端末４０に表示された画面に対してユーザが行った操作内容を画像形成装置１０に反映させることで画像形成装置１０の操作を可能にするモードである（以後、リモートパネルモードと呼ぶ）。つまり第１のモードでは、携帯端末４０を画像形成装置１０のリモートコントローラーとして使用している。
【００３７】
第２のモードは、操作パネル３０に表示しきれない部分（例えば、スクロールすることで全体像が確認できる画面において、現在操作パネル３０に表示されていない部分）を携帯端末４０に表示させ、操作パネル３０と、携帯端末４０の両方に対して操作を行うことができるモードである（以後、連携パネルモードと呼ぶ）。つまり、第２のモードでは、表示部３１と連携して表示面積を拡張すべく携帯端末４０を使用している。
【００３８】
本発明の画像形成装置１０は、上記の第１のモードであるリモートパネルモードと第２のモードである連携パネルモードを、自動で切り替える機能を有する。これにより、ユーザがリモートパネルモードと連携パネルモードを切り替える手間を省略しつつ、リモートパネルモードによる独立した遠隔操作の機能と、連携パネルモードによる表示面積の拡張機能により、画像形成装置１０の操作性および、操作に供する画面の視認性を向上させることができる。
【００３９】
以上、本発明の概要を説明してきたが、これより本発明の実施の形態に係る画像形成装置１０の構成について説明する。
【００４０】
図２は、本発明の実施の形態に係る画像形成装置１０の概略構成を示すブロック図である。画像形成装置１０は、当該画像形成装置１０の動作を統括的に制御するＣＰＵ(Central Processing Unit)１１を有している。ＣＰＵ１１にはバスを通じてＲＯＭ(Read Only Memory)１２と、ＲＡＭ(Random Access Memory)１３と、不揮発メモリ１４と、ハードディスク装置１５と、画像処理部１６と、画像読取部１７と、プリンタ部１８と、ファクシミリ通信部１９と、ネットワーク通信部２０と、ユーザ認証部２３と、操作パネル３０とを備えている。
【００４１】
ＣＰＵ１１は、ＯＳ（Operating System）プログラムをベースとし、その上で、ミドルウェアやアプリケーションプログラムなどを実行する。また、ＣＰＵ１１は、操作パネル３０の表示内容を制御する制御部としての機能を果たす。
【００４２】
ＲＯＭ１２には、各種のプログラムが格納されており、これらのプログラムに従ってＣＰＵ１１が各種処理を実行することで画像形成装置１０の各機能が実現される。また、ＲＯＭ１２には、画像形成装置１０の一連の制御をＣＰＵ１１が実行するためのプログラムが格納されている。
【００４３】
ＲＡＭ１３は、ＣＰＵ１１がプログラムに基づいて処理を実行する際に各種のデータを一時的に格納するワークメモリや画像データを格納する画像メモリなどとして使用される。
【００４４】
不揮発メモリ１４は、電源をオフにしても記憶内容が破壊されないメモリ（フラッシュメモリ）であり、各種設定情報の保存などに使用される。ハードディスク装置１５は、大容量の不揮発の記憶装置であり、ＯＳプログラムや各種アプリケーションプログラム、ユーザ情報、印刷データや画像データ、ジョブに係る情報履歴、操作表示モードの制御履歴などが保存される。
【００４５】
画像処理部１６は、画像の拡大縮小、回転などの処理のほか、印刷データをイメージデータに変換するラスタライズ処理、画像データの圧縮、伸張処理などを行う。
【００４６】
画像読取部１７は、原稿を光学的に読み取って画像データを取得する機能を果たす。画像読取部１７は、例えば、原稿に光を照射する光源と、その反射光を受けて原稿を幅方向に１ライン分読み取るラインイメージセンサと、ライン単位の読取位置を原稿の長さ方向に順次移動させる移動ユニットと、原稿からの反射光をラインイメージセンサに導いて結像させるレンズやミラーなどからなる光学経路と、ラインイメージセンサの出力するアナログ画像信号をデジタルの画像データに変換する変換部などを備えて構成される。
【００４７】
プリンタ部１８は、画像データに応じた画像を記録紙上に画像形成する機能を果たす。ここでは、記録紙の搬送装置と、感光体ドラムと、帯電装置と、レーザーユニットと、現像装置と、転写分離装置と、クリーニング装置と、定着装置とを有し、電子写真プロセスによって画像形成を行う、所謂、レーザープリンタとして構成されている。画像形成は他の方式でもかまわない。
【００４８】
ファクシミリ通信部１９は、ファクシミリ機能を備えた外部装置と公衆回線を通じて画像データを送受信する機能を果たす。
【００４９】
ネットワーク通信部２０は、ＬＡＮ(Local Area Network)などのネットワークを通じて携帯端末４０やその他の外部装置との間でデータを通信する機能を果たす。ネットワーク通信部２０は、所定の距離まで無線通信可能な近接通信部２１と、所定の距離以上でも無線通信可能な近距離通信部２２を備えており、両者を使用して携帯端末４０と無線通信を行う。ＣＰＵ１１は、近接通信部２１が携帯端末４０と無線通信可能な場合は、当該携帯端末４０と画像形成装置１０の距離が所定の距離未満の近距離であると判断する。ここでは、近接通信部２１と近距離通信部２２の双方で通信可能な状態にある携帯端末４０との間では、近接通信部２１による通信が優先的に選択されるものとする。
【００５０】
なお、本実施の形態では、近接通信部２１の通信手段としては、赤外線による無線通信を行うものとし、近距離通信部２２の通信手段としては無線ＬＡＮによる無線通信を行うものとして説明するが、近接通信部２１と近距離通信部２２の通信手段はこれらに限らない。また、ネットワーク通信部２０は有線でＬＡＮに接続する機能も備えている。
【００５１】
ユーザ認証部２３は、ユーザ認証を行う機能を果たす。具体的には、ユーザのログイン時にユーザ認証を行い、ログインユーザを特定している。本実施の形態では、画像形成装置１０を利用するにはログインを必要とし、利用前にユーザ認証が必ず行われるものとする。なお、ユーザ認証の方法は、ユーザＩＤ（Identification）とパスワードによる認証や指紋認証等、適当な方法であればよい。なお、ＣＰＵ１１は、ログイン中のユーザのユーザ情報と、通信を確立した携帯端末４０に登録されているユーザ情報が一致するか否かによって、画像形成装置１０を使用しているユーザと通信を確立した携帯端末４０を使用するユーザが同一のユーザか否かを判別する。
【００５２】
操作パネル３０は、表示部３１と、操作部３２とを備えている。このうち操作部３２は、スタートボタンなどのスイッチ部３３とタッチパネル部３４とを備えている。表示部３１は、液晶ディスプレイ（ＬＣＤ…Liquid Crystal Display）などで構成され、各種の操作画面、設定画面などを表示する機能を果たす。本実施の形態では、操作パネル３０が表示する表示内容の制御、操作パネル３０による操作の受け付けに関する制御はＣＰＵ１１が行う。
【００５３】
タッチパネル部３４は、表示部３１上に設けられている。タッチパネル部３４は、タッチペンや指などで押下された表示部３１上の座標位置や、フリック操作やドラッグ操作等を検出する。
【００５４】
本実施の形態では、ＣＰＵ１１は、無線通信によって接続された携帯端末４０と画像形成装置１０の距離等から、当該携帯端末４０の操作表示モードをリモートパネルモードと連携パネルモードのどちらに制御するかを決定する。そしてその決定した操作表示モードに応じて操作表示部５０（図３参照）に表示させる画面に係る情報を決定し、その決定した情報を、ネットワーク通信部２０を使用して携帯端末４０に送信する。リモートパネルモードの状態であれば、操作パネル３０の表示とは独立した画面を操作表示部５０に表示させるような情報を送信し、連携パネルモードの状態であれば、操作パネル３０に表示しきれない部分を操作表示部５０に表示させるような情報を送信する。
【００５５】
また、ＣＰＵ１１は、リモートパネルモード及び連携パネルモードの際に携帯端末４０の操作表示部５０に対して行われた操作内容を示す情報を携帯端末４０から受信したら、その操作内容を解析、認識し、画像形成装置１０に反映させる。
【００５６】
図３は、携帯端末４０の概略構成を示すブロック図である。携帯端末４０は、当該携帯端末４０の動作を統括的に制御するＣＰＵ４１を有している。ＣＰＵ４１にはバスを通じてＲＯＭ４２と、ＲＡＭ４３と、不揮発メモリ４４と、ハードディスク装置４５と、ネットワーク通信部４６と、操作表示部５０とを備えている。
【００５７】
ＣＰＵ４１は、ＯＳプログラムをベースとし、その上で、ミドルウェアやアプリケーションプログラムなどを実行する。また、ＣＰＵ４１は、操作表示部５０の表示内容を制御する制御部としての機能を果たす。
【００５８】
ＲＯＭ４２には、各種のプログラムが格納されており、これらのプログラムに従ってＣＰＵ４１が各種処理を実行することで携帯端末４０の各機能が実現される。また、ＲＯＭ４２には、携帯端末４０の一連の制御をＣＰＵ４１が実行するためのプログラムや、ユーザ情報が格納されている。
【００５９】
ＲＡＭ４３は、ＣＰＵ４１がプログラムに基づいて処理を実行する際に各種のデータを一時的に格納するワークメモリや画像データを格納する画像メモリなどとして使用される。
【００６０】
不揮発メモリ４４は、電源をオフにしても記憶内容が破壊されないメモリ（フラッシュメモリ）であり、各種設定情報の保存などに使用される。ハードディスク装置４５は、大容量の不揮発の記憶装置であり、ＯＳプログラムや各種アプリケーションプログラムなどが保存される。前述したリモートパネルモード、連携パネルモードで携帯端末４０を動作させるためのプログラム（これを、操作表示アプリとする）なども記憶される。
【００６１】
ネットワーク通信部４６は、ＬＡＮなどのネットワークを通じて画像形成装置１０やその他の外部装置との間でデータを通信する機能を果たす。ネットワーク通信部４６は、所定の距離まで無線通信可能な近接通信部４７と、所定の距離以上でも無線通信可能な近距離通信部４８を備えており、両者を使用して画像形成装置１０と無線通信を行う。ここでは、近接通信部４７と近距離通信部４８の双方で画像形成装置１０と通信可能な状態にある場合は、近接通信部４７による通信が優先的に選択されるものとする。
【００６２】
なお、本実施の形態では、近接通信部４７の通信手段としては、赤外線による無線通信を行うものとし、近距離通信部４８の通信手段としては無線ＬＡＮによる無線通信を行うものとして説明するが、近接通信部４７と近距離通信部４８の通信手段はこれらに限らない。また、ネットワーク通信部４６は有線でＬＡＮに接続する機能も備えている。
【００６３】
操作表示部５０は、表示部５１と、操作部５２とを備えている。このうち操作部５２は、スタートボタンなどのスイッチ部５３とタッチパネル部５４とを備えている。表示部５１は、液晶ディスプレイなどで構成され、各種の操作画面、設定画面などを表示する機能を果たす。
【００６４】
タッチパネル部５４は、表示部５１上に設けられている。タッチパネル部５４は、タッチペンや指などで押下された表示部５１上の座標位置や、フリック操作やドラッグ操作等を検出する。
【００６５】
本実施の形態では、ＣＰＵ４１は、ネットワーク通信部４６が画像形成装置１０から受信した情報に基づいて操作表示部５０にリモートパネルモード及び連携パネルモードにおける各種の画面を表示させる。また、ＣＰＵ４１は、リモートパネルモード及び連携パネルモードで動作する際に、操作表示部５０が受け付けた操作内容を、ネットワーク通信部４６を使用して画像形成装置１０に送信する。
【００６６】
図４は、画像形成装置１０と携帯端末４０が通信を確立する際の様子を示す。近接無線通信が優先的に使用されて通信が確立される。画像形成装置１０は、携帯端末４０と通信を確立した際に、ログイン中のユーザのユーザ情報と、その携帯端末４０に登録されているユーザ情報が一致するか否かを調べる。
【００６７】
（１、画像形成装置１０側から通信を確立する場合）
画像形成装置１０側から通信を確立する場合、まずユーザの操作により、画像形成装置１０が、携帯端末４０との通信状況をチェックし、通信可能な携帯端末４０と通信を確立する。画像形成装置１０にログイン中のユーザが使用する携帯端末４０と通信した場合は、その携帯端末４０の操作表示モードの選択処理（リモートパネルモードか連携パネルモードを選択する処理）に移行する。操作表示モードの選択処理については後述する。ログイン中のユーザ以外のユーザの携帯端末４０と通信を確立した場合、その携帯端末４０はリモートパネルモードに制御される。
【００６８】
（２、携帯端末４０側から通信を確立する場合）
携帯端末４０側から通信を確立する場合、まず携帯端末４０で操作表示アプリを立ち上げ、そのアプリが画像形成装置１０への通信確立要求を出し、これを受信した画像形成装置１０との間で通信が確立される。通信が確立された際に画像形成装置１０にログインしているユーザと、当該携帯端末４０を使用しているユーザが同一のユーザであれば、画像形成装置１０はその携帯端末４０の操作表示モードの選択処理に移行する。通信が確立された際に画像形成装置１０にログインしているユーザがいなければ、画像形成装置１０は、当該携帯端末４０にログイン要求を送信し、ユーザが携帯端末４０から画像形成装置１０にログインした後で、当該携帯端末４０の操作表示モードの選択処理に移行する。通信が確立された際に、当該携帯端末４０を使用しているユーザと、画像形成装置１０にログインしているユーザが異なる場合は、その携帯端末４０の操作表示モードを自動的にリモートパネルモードに制御する。
【００６９】
画像形成装置１０は、操作表示モードの選択処理では、リモートパネルモードと連携パネルモードのどちらの操作表示モードで携帯端末４０を制御するかを自動的に決定する自動選択モード（自動選択モードＯＮ時）に設定されている場合と、ユーザが手動で操作表示モードを選択する手動選択モード（自動選択モードＯＦＦ時）に設定されている場合で異なる処理を行う。自動選択モードのＯＮ/ＯＦＦの設定は、画像形成装置１０の本体設定として、予めユーザが設定しておく。この設定は、携帯端末４０と通信を確立している際にも、任意のタイミングで変更することができる。通信を確立している最中に変更を行う場合、通信を確立した携帯端末４０を使用しているユーザと、画像形成装置１０にログインしているユーザが同一のユーザである場合は、その携帯端末４０からも設定の変更が可能であるものとする。
【００７０】
自動選択モードがＯＦＦの場合の操作表示モードの選択処理では、ユーザからリモートパネルモード、または連携パネルモードの選択を受け付け、その受け付けた操作表示モードになるよう携帯端末４０を制御する。自動選択モードがＯＮの場合の操作表示モードの選択処理では、通信を確立した携帯端末４０と画像形成装置１０との距離等から、操作表示モードを自動的に決定する。詳細は後述する。
【００７１】
次に、リモートパネルモードと、連携パネルモードについて説明する。
【００７２】
図５は、リモートパネルモードの際に、携帯端末４０の表示部５１に表示されるリモート操作画面６０の一例を示す。リモート操作画面６０は、操作パネル３０の表示から独立した画面である。例えば、リモート操作画面６０で印刷設定に係る操作をしていても、操作パネル３０の画面には、待機画面や、スキャン画面等の異なった画面が表示され得る。携帯端末４０は、ユーザから所定の指示を受けると、リモート操作画面６０で受け付けた設定内容（操作内容）を画像形成装置１０に送信し、その設定内容を画像形成装置１０で反映させることができる。例えば、印刷設定に係る設定（印刷濃度調整、片面印刷選択、用紙サイズ変更、集約等）を行った後、その設定内容を画像形成装置１０に送信することで、画像形成装置１０でその設定内容が反映され、その設定内容での印刷が可能となる。携帯端末４０でジョブを作成し、画像形成装置１０に投入することもできる。
【００７３】
なお、リモートパネルモードは、操作パネル３０の表示から独立した画面を表示するものなので、画像形成装置１０と通信を確立しなくとも、予めリモートパネルモードで表示する画面の情報を携帯端末４０に保有させておくことで、携帯端末４０にその画面を表示させることができる。その場合、その画面で設定した設定内容や、作成したジョブを、通信を確立した後で、画像形成装置１０に送信することができる。
【００７４】
通信を確立している携帯端末４０が、画像形成装置１０にログインしているユーザの使用している携帯端末４０であれば、自動選択モードのＯＮ/ＯＦＦの切り替えを行うこともできる。図５の携帯端末４０は、画像形成装置１０にログインしているユーザが使用している携帯端末４０であり、ユーザはリモート操作画面６０内に設置された自動選択モード切り替え釦６３で自動選択モードのＯＮ/ＯＦＦの切り替えを行うことができる。
【００７５】
図５のリモート操作画面６０には、自動選択モード切り替え釦６３の他に、リモートモード釦６１と、連携パネルモード釦６２が設置されており、これらの釦６１、６２を操作することで、自動選択モードがＯＦＦの状態の時は、ユーザが操作表示モードを選択、変更することができる。各釦６１、６２、６３は、設定中（ＯＮ状態）であれば、グレー表示される。図５は、自動選択モードがＯＮであり、自動選択の結果としてリモートパネルモードが設定された状態を示しており、自動選択モード切り替え釦６３とリモートモード釦６１がグレー表示されている。
【００７６】
図６は、携帯端末４０と通信を確立する前の状態で操作パネル３０に表示される画面の一例である連携前アドレス選択画面７０と、携帯端末４０と通信を確立した後に、連携パネルモードの状態で操作パネル３０に表示される画面の一例である連携後アドレス選択画面７２と、携帯端末４０の表示部５１に表示される連携表示画面７３の一例を示す。
【００７７】
連携前アドレス選択画面７０におけるアドレス帳表示領域７１には、ハードディスク装置１５に登録されているアドレス帳のうちＡ１〜Ａ１２までの１２個のアドレスの項目（アドレス項目７５）が（３行４列で）順番に配列されて表示されている。Ａ１３以降のアドレス項目７５は、アドレス帳表示領域７１の右端に表示されているスクロールバー７４を下に動かすことでスクロール表示されて現われる。なお、連携前アドレス選択画面７０では、Ａ１〜Ａ８までの８つのアドレス項目７５（１、２行目に配置されているアドレス項目７５）は全体が表示されているが、Ａ９〜Ａ１２のアドレス項目７５は（３行目に配置されているアドレス項目７５）、下部の一部が画面から切れ、表示されていない。
【００７８】
そこで、ユーザは、Ａ９〜Ａ１２のアドレス項目７５（３行目に配置されているアドレス項目７５）、及び、Ａ１３以降のアドレス項目７５（４行目以降に配置されているアドレス項目７５）の視認性を向上させる為に、画像形成装置１０に携帯端末４０との通信を確立させ、連携パネルモードで、操作パネル３０に表示されていない部分が携帯端末４０の表示部５１に拡張表示されるように、携帯端末４０を操作パネル３０に近づける。
【００７９】
連携パネルモードの状態で操作パネル３０に表示される画面である連携後アドレス選択画面７２では、連携前アドレス選択画面７０において下部の一部が画面から切れ、表示されていなかったＡ９〜Ａ１２のアドレス項目７５（３行目に配置されていたアドレス項目７５）は、一切表示されず、Ａ１〜Ａ８までの、全体を表示可能な８つのアドレス項目７５のみが表示される。その代わり、連携パネルモードの状態で表示部５１に表示される画面である連携表示画面７３には、Ａ９〜Ａ２４までのアドレス項目７５が（４行４列で）順番に配列されて表示される。つまり、連携パネルモードでは、釦の視認性確保の為、画面の境界に位置する釦は表示しないようにしている。連携後アドレス選択画面７２と、連携表示画面７３の２つの画面を使用することで、ユーザが視認及び操作可能なアドレス項目７５の数が増え、視認性、操作性が向上する。
【００８０】
なお、図６には、自動選択モードのＯＮ/ＯＦＦの切り替え釦が記載されていないが、連携パネルモードの状態でも、通信を確立している携帯端末４０が、画像形成装置１０にログインしているユーザの使用している携帯端末４０であれば、携帯端末４０から自動選択モードのＯＮ/ＯＦＦの切り替えを行うこともできる。また、その携帯端末４０の自動選択モードがＯＦＦの状態であれば、ユーザが操作表示モードを選択、変更することができる。
【００８１】
次に、複数台の携帯端末４０が画像形成装置１０と通信を確立する場合について説明する。
【００８２】
図７は、画像形成装置１０に対して３台の携帯端末４０（Ａ、Ｂ、Ｃ）が通信を確立している様子を示す。図７では、ユーザＡが画像形成装置１０にログインしており、これにより、そのユーザＡが使用する携帯端末４０Ａは、リモートパネルモードと、連携パネルモードのどちらの操作表示モードでも可能な状態になっている。画像形成装置１０にログインしているユーザと、携帯端末４０Ａを使用しているユーザが同一のユーザか否かは、予め携帯端末４０Ａに登録しておいたユーザ情報によって判別する。画像形成装置１０にログインしていないユーザＢと、ユーザＣが使用する携帯端末４０（Ｂ、Ｃ）は、リモートパネルモードのみが可能な状態である。
【００８３】
リモートパネルモードの状態である携帯端末４０Ｂ、携帯端末４０Ｃにて設定した設定内容を画像形成装置１０に送信した場合は、画像形成装置１０はその設定内容を直ぐに反映させず、保存しておき、その設定を行ったユーザがログインした際に、その設定内容を反映させる。また、携帯端末４０Ｂ、携帯端末４０Ｃが画像形成装置１０にジョブを送信した場合は、ログイン中のユーザ（ここではユーザＡ）がログアウトした後に、そのジョブを実行するようにしてもよい。
【００８４】
次に、画像形成装置１０が行う処理の流れについて説明する。図８は、画像形成装置１０が行う処理の流れの基本フローである。この基本フローは、通信を確立する携帯端末４０が１台のみの場合にも、複数台の場合にも対応する。以下、図中では画像形成装置１０をＭＦＰとして説明する。
【００８５】
まず、携帯端末４０と通信を確立し（ステップＳ１０１）、その通信を確立した携帯端末４０のユーザ情報を取得する（ステップＳ１０２）。通信を確立した際には、画像形成装置１０が携帯端末４０にユーザ情報の送信指示を送信し、この指示を受信した携帯端末４０が画像形成装置１０にユーザ情報を送信する。
【００８６】
ステップＳ１０２で取得したユーザ情報がログイン中のユーザのユーザ情報と異なる場合は（ステップＳ１０３；Ｙｅｓ）、ステップＳ１０１で通信を確立した携帯端末４０にリモートパネルモードの指示を送信し（ステップＳ１０５）、処理を終了する。
【００８７】
ステップＳ１０２で取得したユーザ情報がログイン中のユーザのユーザ情報と同じ場合は（ステップＳ１０３；Ｎｏ）、ステップＳ１０１で通信を確立した携帯端末４０に、操作表示モード選択処理によって決定した操作表示モードの指示を送信し（ステップＳ１０４）、処理を終了する。操作表示モード選択処理では、自動選択モードのＯＮ/ＯＦＦや、ユーザによる手動操作、画像形成装置１０と携帯端末４０の間の距離等に基づいてリモートパネルモードと、連携パネルモードのどちらの操作表示モードに制御するかを決定する。
【００８８】
画像形成装置１０は処理が終了した後も、携帯端末４０と通信を確立している限り、ステップＳ１０３に戻って処理を繰り返す。
【００８９】
なお、ステップＳ１０３にて、ログイン中のユーザがいなかった場合の処理については、ステップＳ１０５に進ませてもよいし、そのユーザをログインさせステップＳ１０４に進ませてもよい。
【００９０】
図９、図１１、図１２は、図８のステップＳ１０４の操作表示モード選択処理の内容をケース別に表した全体の処理の流れを示す。
【００９１】
図９は、自動選択モードがＯＮの時において、画像形成装置１０が行う処理の流れの一例を示す。図９では、通信を確立した携帯端末４０を使用するユーザが、画像形成装置１０にログイン中のユーザか否か、および、画像形成装置１０と携帯端末４０の距離が所定の距離以上であるか否かによってリモートパネルモードと、連携パネルモードのどちらの操作表示モードに制御するかを決定する。図９のステップＳ２０４〜ステップＳ２０６は、図８でのステップＳ１０４に該当する。
【００９２】
まず、携帯端末４０と通信を確立し（ステップＳ２０１）、その通信を確立した携帯端末４０のユーザ情報を取得する（ステップＳ２０２）。通信を確立した際には、画像形成装置１０が携帯端末４０にユーザ情報の送信指示を送信し、この指示を受信した携帯端末４０が画像形成装置１０にユーザ情報を送信する。
【００９３】
ステップＳ２０２で取得したユーザ情報がログイン中のユーザのユーザ情報と異なる場合は（ステップＳ２０３；Ｙｅｓ）、ステップＳ２０７に進む。ステップＳ２０２で取得したユーザ情報がログイン中のユーザのユーザ情報と同じ場合は（ステップＳ２０３；Ｎｏ）、ステップＳ２０４に進む。
【００９４】
ステップＳ２０４では、ステップＳ２０１で通信を確立した携帯端末４０と近接通信部２１によって通信が可能か否かを調べる。
【００９５】
近接通信部２１による通信が不可能であれば、画像形成装置１０とその携帯端末４０との距離が一定以上の距離であるとＣＰＵ１１が判断し（ステップＳ２０５；Ｙｅｓ）、ステップＳ２０７に進む。近接通信部２１による通信が可能であれば、画像形成装置１０とその携帯端末４０との距離が一定未満の距離であるとＣＰＵ１１が判断し（ステップＳ２０５；Ｎｏ）、ステップＳ２０１で通信を確立した携帯端末４０に連携パネルモードの指示を送信し（ステップＳ２０６）、処理を終了する。
【００９６】
ステップＳ２０７では、ステップＳ２０１で通信を確立した携帯端末４０にリモートパネルモードの指示を送信し、処理を終了する。
【００９７】
図９でも、携帯端末４０と画像形成装置１０の通信が確立している間は、ステップＳ２０３以降の処理を繰り返す。これにより、画像形成装置１０にログインしているユーザと通信を確立しているユーザが同じ場合は、画像形成装置１０と携帯端末４０との間の距離によって、連携パネルモードと、リモートパネルモードが自動的に切り替わる。
【００９８】
図１０には、図９の処理において、どのような条件下でリモートパネルモード、連携パネルモードが選択されるかを一覧にしたモード決定基準表８０を示している。
【００９９】
モード決定基準表８０では、２つの基準に基づいてリモートパネルモードと連携パネルモードのどちらの操作表示モードを利用するかを決定している。２つの基準のうちの１つは、（基準１）ログイン中のユーザと携帯端末４０のユーザが異なるか否かであり、他の１つは、（基準２）画像形成装置１０と携帯端末４０が一定以上離れているか否かである。
【０１００】
モード決定基準表８０によると、ログイン中のユーザと携帯端末４０のユーザが同じであり（基準１、Ｎｏ）、画像形成装置１０と携帯端末４０が一定以上離れていない場合（基準２、Ｎｏ）に限り連携パネルモードが選択される。
【０１０１】
ログイン中のユーザと携帯端末４０のユーザが異なる場合は（基準１、Ｙｅｓ）、画像形成装置１０と携帯端末４０の距離に係らず（基準２、Ｙｅｓ/Ｎｏ）リモートパネルモードが選択される。また、ログイン中のユーザと携帯端末４０のユーザが同じであっても（基準１、Ｎｏ）、画像形成装置１０と携帯端末４０が一定以上離れている場合（基準２、Ｙｅｓ）はリモートパネルモードが選択される。
【０１０２】
図９では、自動選択モードがＯＮの場合において、画像形成装置１０と携帯端末４０の距離および、通信を確立した携帯端末４０のユーザが画像形成装置１０にログインしているユーザと同じユーザか否かの２つの基準によって、連携パネルモードとリモートパネルモードのいずれかの操作表示モードを選択してきたが、図１１では、上記の２つの基準に加えて、リモートパネルモードの使用頻度や、現在、ユーザがリモートパネルモード状態の携帯端末４０を使用中か否かを選択基準として加えた場合の処理の流れを示す。
【０１０３】
図１１では、ステップＳ４０３、ステップＳ４０５、ステップＳ４０６が図８のステップＳ１０４に該当する。
【０１０４】
ここでは、画像形成装置１０が、過去にリモートパネルモードに制御した回数と、連携パネルモードに制御した回数をユーザごとに制御履歴として記録するようになっている。
【０１０５】
まず、携帯端末４０と通信を確立する（ステップＳ４０１）。そして、通信を確立した携帯端末４０のユーザ情報を取得する（ステップＳ４０２）。
【０１０６】
通信を確立した携帯端末４０のユーザ情報と合致するユーザの使用する携帯端末４０への制御履歴（各モードに制御した回数）をハードディスク装置１５から読み出して、リモートパネルモード状態での使用頻度が所定値以上の場合は（ステップＳ４０３；Ｙｅｓ）、リモートパネルモードの指示を送信して（ステップＳ４０７）処理を終了し、リモートパネルモード状態での使用頻度が所定値未満の場合は（ステップＳ４０３；Ｎｏ）、ステップＳ４０４に進む。ここでは、リモートパネルモードに制御した回数と、連携パネルモードに制御した回数の比率（使用頻度）を求め、その値が所定値以上か否かを判定している。なお、所定値は、予め、ユーザが設定可能である。
【０１０７】
ステップＳ４０４では、ステップＳ４０２で取得したユーザ情報がログイン中のユーザのユーザ情報と異なる場合は（ステップＳ４０４；Ｙｅｓ）、ステップＳ４０７に進む。ステップＳ４０２で取得したユーザ情報がログイン中のユーザのユーザ情報と同じ場合は（ステップＳ４０４；Ｎｏ）、ステップＳ４０５に進む。
【０１０８】
ステップＳ４０５では、現在ユーザがリモートパネルモードで携帯端末４０を使用中か否かを調べる。リモートパネルモードでユーザが携帯端末４０を使用中ならば（ステップＳ４０５；Ｙｅｓ）、そのままリモートパネルモードの指示を送信し（ステップＳ４０７）、処理を終了する。リモートパネルモードでない、もしくはリモートパネルモードであってもユーザが携帯端末４０を使用中でなければ（ステップＳ４０５；Ｎｏ）ステップＳ４０６に進む。なお、ステップＳ４０５の処理は、図９において全体の処理を終了後にステップＳ２０３以降の処理を繰り返したように、繰り返して処理が行われる場合に対応する処理である。初回の処理では、まだ操作表示モードが選択されていないので、ステップＳ４０６に進む。
【０１０９】
ユーザが携帯端末４０を使用中か否かの判断は、例えば、設定途中の内容（例えば、ジョブの作成中等）があるか否か、もしくは、携帯端末４０が最後の操作を受け付けてから所定の時間（例えば、一分くらい等）が経過しているか否か等で調べる。これにより、ユーザがリモートパネルモードの状態で携帯端末４０の操作中に移動し、画像形成装置１０と携帯端末４０の距離が変動しても、ユーザが携帯端末４０の操作中はリモートパネルモードの状態が継続する。
【０１１０】
ステップＳ４０６では、図９におけるステップＳ２０４以降の処理を行い、その後、処理を終了する。すなわち、画像形成装置１０と携帯端末４０の距離および、通信を確立した携帯端末４０のユーザが画像形成装置１０にログインしているユーザと同じユーザか否かによって、連携パネルモードとリモートパネルモードのいずれかの操作表示モードの選択を行う。なお、図１１では携帯端末４０と画像形成装置１０の通信が確立している間は、ステップＳ４０４以降の処理を繰り返す。リモートパネルモードの使用比率が一定以上か否かを判断する処理（ステップＳ４０３）は、初回の処理の時のみ行う。
【０１１１】
図１２は、自動選択モードがＯＦＦの時において、画像形成装置１０が行う処理の流れを示す。自動選択モードがＯＦＦの場合は、通信を確立した携帯端末４０に登録されているユーザ情報が、ログイン中のユーザのユーザ情報と一致すれば、ユーザが手動でリモートパネルモードと、連携パネルモードのどちらの操作表示モードを利用するかを決定することができる。図１２では、ステップＳ３０３〜ステップＳ３０６の処理が、図８のステップＳ１０４に該当する。
【０１１２】
まず、携帯端末４０と通信を確立し、その通信を確立した携帯端末４０のユーザ情報を取得する（ステップＳ３０１）。通信を確立した際には、画像形成装置１０が携帯端末４０にユーザ情報の送信指示を送信し、この指示を受信した携帯端末４０が画像形成装置１０にユーザ情報を送信する。
【０１１３】
ステップＳ３０１で取得したユーザ情報がログイン中のユーザのユーザ情報と異なる場合は（ステップＳ３０２；Ｙｅｓ）、ステップＳ３０５に進む。ステップＳ３０１で取得したユーザ情報がログイン中のユーザのユーザ情報と同じ場合は（ステップＳ３０２；Ｎｏ）、ステップＳ３０３に進む。
【０１１４】
ステップＳ３０３では、ユーザから連携パネルモードとリモートパネルモードのいずれかの操作表示モードの選択を受け付ける。受け付けた操作表示モードがリモートパネルモードであれば（ステップＳ３０４；Ｙｅｓ）、ステップＳ３０５に進む。
【０１１５】
受け付けたモードが連携パネルモードであれば（ステップＳ３０４；Ｎｏ）、ステップＳ３０１で通信を確立した携帯端末４０に連携パネルモードの指示を送信し（ステップＳ３０６）、処理を終了する。
【０１１６】
ステップＳ３０５では、ステップＳ３０１で通信を確立した携帯端末４０にリモートパネルモードの指示を送信し、処理を終了する。
【０１１７】
なお、図１２の処理では、図９や図１１の場合と異なり、処理終了後の繰り返しは行わない。ステップＳ３０３において、所定の時間（たとえば３分等）が経過するまで操作表示モードの選択を受け付けなかった場合は、処理を中止し、自動選択モードをＯＮにして、図９や図１１の処理を開始するようにしてもよい。
【０１１８】
本発明では、ユーザが画像形成装置１０の操作パネル３０を利用すると共に、携帯端末４０で操作パネル３０の表示や操作を補助する場合、自動選択モードがＯＮの状態ならば、図１３に示すように、状況に合わせてリモートパネルモードと連携パネルモードを自動的に切り替える。図１３ではリモートパネルモードと連携パネルモードが自動的に切り替わりながら、ユーザが設定操作を行う様子を示す。この動作は、図９の動作でのステップＳ２０３以後の継続動作や、図１１の動作でのステップＳ４０４以後の継続動作に対応する動作である。２つのモードをユーザが手動で切り替える必要が無いので、ユーザの操作性を維持しつつ、画像形成装置１０の操作性および視認性を向上させることができる。
【０１１９】
以上、本発明の実施の形態を図面によって説明してきたが、具体的な構成は実施の形態に示したものに限られるものではなく、本発明の要旨を逸脱しない範囲における変更や追加があっても本発明に含まれる。
【０１２０】
本発明の実施の形態では、近接通信部２１での通信が可能な場合は、画像形成装置１０と携帯端末４０との距離が所定の距離未満であると判断していたが、測定部を設けて、携帯端末４０と画像形成装置１０間の距離の実測値を求め、画像形成装置１０と携帯端末４０との距離が所定の距離未満であるか否かを判断してもよい。電波の受信強度や、ＧＰＳ（Global Positioning System）等、適当な方法で距離を求めればよい。
【０１２１】
本発明の実施の形態では画像形成装置１０を情報処理装置の例として説明したが、情報処理装置はこれに限らない。画像形成装置１０の他にも、ＣＰＵ１１と、ＲＯＭ１２と、ＲＡＭ１３と、不揮発メモリ１４と、ネットワーク通信部２０と、測定部とを備えた操作パネル３０自体であってもよい。また、情報処理装置を実施の形態でのように動作させるプログラムであってもよい。
【０１２２】
本発明の実施の形態では、携帯端末４０をリモートパネルモードに制御した回数と、連携パネルモードに制御した回数の比率を求め、リモートパネルモードの使用比率を、使用頻度としたが、リモートパネルモードの使用回数（制御回数）自体を使用頻度としてもよい。
【０１２３】
本発明の実施の形態では、連携パネルモード時に、携帯端末４０に表示される画面に対しての操作が、画像形成装置１０への操作として有効であったが、連携パネルモード時は携帯端末４０を画像形成装置１０への操作手段としては機能させず、表示部３１に表示しきれない部分を表示手段として機能させるだけでもよい。
【０１２４】
本発明の実施の形態では、画像形成装置１０を利用する為には、必ずログインを必要としていたが、ログインを行わなくとも画像形成装置１０が利用可能であってもよい。ログインを行わずに画像形成装置１０を操作しているユーザがいる際に、携帯端末４０側から、画像形成装置１０と通信を確立した場合は、その携帯端末４０は自動的にリモートパネルモードに制御すればよい。
【０１２５】
ユーザ認証部２３を設けない場合は、複数の携帯端末４０のうち、最初に画像形成装置１０と通信を確立した携帯端末４０のみ、リモートパネルモードと、連携パネルモードを可能とし、２番目以降の携帯端末４０はリモートパネルモードに制御すればよい。連携パネルモードに制御している状態の携帯端末４０が１台になるように制御していればよい。
【０１２６】
画像形成装置１０と通信を確立した携帯端末４０を使用するユーザが、画像形成装置１０にログインしていないユーザであれば当該携帯端末４０をリモートパネルモードに制御し、画像形成装置１０にログインしているユーザであれば、当該携帯端末４０を、画像形成装置１０と携帯端末４０の距離等に係らず連携パネルモードに制御してもよい。
【符号の説明】
【０１２７】
１０…画像形成装置
１１…ＣＰＵ
１２…ＲＯＭ
１３…ＲＡＭ
１４…不揮発メモリ
１５…ハードディスク装置
１６…画像処理部
１７…画像読取部
１８…プリンタ部
１９…ファクシミリ通信部
２０…ネットワーク通信部
２１…近接通信部
２２…近距離通信部
２３…ユーザ認証部
３０…操作パネル
３１…表示部
３２…操作部
３３…スイッチ部
３４…タッチパネル部
４０（Ａ、Ｂ，Ｃ）…携帯端末
４１…ＣＰＵ
４２…ＲＯＭ
４３…ＲＡＭ
４４…不揮発メモリ
４５…ハードディスク装置
４６…ネットワーク通信部
４７…近接通信部
４８…近距離通信部
５０…操作表示部
５１…表示部
５２…操作部
５３…スイッチ部
５４…タッチパネル部
６０…リモート操作画面
６１…リモートモード釦
６２…連携パネルモード釦
６３…自動選択モード切り替え釦
７０…連携前アドレス選択画面
７１…アドレス帳表示領域
７２…連携後アドレス選択画面
７３…連携表示画面
７４…スクロールバー
７５…アドレス項目
８０…モード決定基準表
【図２】
0005945930.tif 000002
【図３】
0005945930.tif 000003
【図６】
0005945930.tif 000004
【図８】
0005945930.tif 000005
【図９】
0005945930.tif 000006
【図１０】
0005945930.tif 000007
【図１１】
0005945930.tif 000008
【図１２】
0005945930.tif 000009
【図１３】
0005945930.tif 000010
【図１】
0005945930.tif 000011
【図４】
0005945930.tif 000012
【図５】
0005945930.tif 000013
【図７】
0005945930.tif 000014